(57)【特許請求の範囲】
【請求項１】
正面側にエアー流入口を、背面側にエアー流出口をそれぞれ開口してなる本体ボックスと、この本体ボックス内のエアー流入口とエアー流出口との間に平面視においてジグザグ状に配列されかつ出し入れ可能に収納される複数枚のフィルター本体とを備え、前記エアー流出口内にフィルター本体のエアー流出口側端部を受ける下流側縦枠を固定している空調用エアーフィルターにおいて、
前記エアー流入口内に、隣り合うフィルター本体のエアー流入口側端部同士の合掌部分を受ける上流側縦枠が固定され、この上流側縦枠の外面上に、該上流側縦枠の内面側で隣り合うフィルター本体のエアー流入口側端部同士を互いに寄せ付けるよう挟持する挟持部片を両端に備えた挟持板が支持軸回りに回転可能に取り付けられるとともに、前記支持軸に前記挟持板を前記上流側縦枠に対し押し付ける方向に押圧付勢するばね部材が備えられており、
前記上流側縦枠の内面側に、該上流側縦枠の内面側で隣接するフィルター本体のエアー流入口側端部同士間に介在するシール材が固定されており、前記支持軸が、その先端部が前記上流側縦枠に設けた雌ねじに着脱可能に螺合されたボルトにより構成され、前記挟持板より外方へ突出する前記ボルト上に前記ばね部材が備えられていることを特徴とする、空調用エアーフィルター。
【請求項２】
前記挟持板の挟持部片がフィルター本体をエアー流出口方向へ押圧する機能をも備えている、請求項１記載の空調用エアーフィルター。
【請求項３】
前記本体ボックスの天井面および床面に、前記フィルター本体の上下端部の各上流側面にそれぞれ前後方向にわたって設けた溝の内部にその全長にわたって当接する鍔部を有する位置決め板が固定されている、請求項１又は２に記載の空調用エアーフィルター。
【請求項４】
前記挟持板に把手部が備えられている、請求項１ないし３のいずれかに記載の空調用エアーフィルター。
【発明の詳細な説明】
【０００１】
【発明の属する技術分野】
本発明は、ビルディング等に据え付けられた空気調和装置等に使用されるエアーフィルターに関する。
【０００２】
【従来の技術】
この種の空調用エアーフィルターとして、例えば、図１２、図１３に示すように、正面側にエアー流入口３０を、背面側にエアー流出口３１をそれぞれ開口してなる本体ボックス３２を作り、この本体ボックス３２内のエアー流入口３０とエアー流出口３１との間に、フィルター濾材３３の外周をフィルター枠３４で囲む複数枚のフィルター本体３５を平面視においてジグザグ状に収納配置したものがある（例えば、特許文献１参照。）。フィルター本体２をジグザグ状に配置するのは、一定枚数のフィルター本体２に対する空気の接触面積をできる限り増大して通気抵抗を低減し空気の濾過処理量を高めるためである。
【０００３】
上記フィルター本体３５は清掃ないし洗浄や破損に伴う交換等を可能にするために本体ボックス３２内に出し入れ可能に収納される。このフィルター本体３５の出し入れに際しては、本体ボックス３２内の天井面および床面に平面視においてジグザグ状に固定されたガイドレール３６，３７の上をスライドさせる。本体ボックス３２内にフィルター本体３５が収納された状態では、各フィルター本体３５のエアー流出口側端部はエアー流出口３１内に固定された各下流側縦枠３８で受け止められ、各フィルター本体３５のエアー流入口側端部はエアー流入口３０内に嵌め込まれた押さえ枠体３９の各上流側縦枠４０で下流側縦枠方向へ押し付けられる状態に固定される。エアー流入口３０内に対する押さえ枠体３９の嵌め込み状態はロック機構（図示省略）で保持される。
【０００４】
【特許文献１】
国際公開第００／５９６０７号パンフレット
【０００５】
【発明が解決しようとする課題】
しかるに、上記構造の空調用エアーフィルターでは、メンテナンスに際してフィルター本体３５の清掃ないし洗浄や交換をするために本体ボックスに対しフィルター本体を出し入れする都度、ロック機構をアンロックしたうえで、押さえ枠体３９を本体ボックス３２のエアー流入口３０から取り出し、フィルター本体３５の収納後は元通り嵌め込まなければならない。かかる押さえ枠３９の取り出し及び嵌め込みは煩わしく多くの手間と時間がかかっていた。また、フィルター本体３５を本体ボックス３２内に収納するときに該フィルター本体３５の上下端部を上下のガイドレール３６，３７に差し込むこともやや面倒であった。
【０００６】
そこで、本発明の目的は、上記のような構造の空調用エアーフィルターにおいてフィルター本体の押さえ枠体部分の構造を改良し、またフィルター本体をガイドレールに差し込む手間を省略することによりメンテナンス時におけるフィルター本体の出し入れ作業の簡易迅速化を図れる空調用エアーフィルターを提供することにある。
【０００７】
【課題を解決するための手段】
本発明の空調用エアーフィルターは、正面側にエアー流入口を、背面側にエアー流出口をそれぞれ開口してなる本体ボックスと、この本体ボックス内のエアー流入口とエアー流出口との間に平面視においてジグザグ状に配列されかつ出し入れ可能に収納される複数枚のフィルター本体とを備え、前記エアー流出口内にフィルター本体のエアー流出口側端部を受ける下流側縦枠を固定している。
そのうえで、本発明は、前記エアー流入口内に、隣り合うフィルター本体のエアー流入口側端部同士の合掌部分を受ける上流側縦枠が固定され、この上流側縦枠の外面上に、該上流側縦枠の内面側で隣り合うフィルター本体のエアー流入口側端部同士を互いに寄せ付けるよう挟持する挟持部片を両端に備えた挟持板が支持軸回りに回転可能に取り付けられるとともに、前記支持軸に前記挟持板を前記上流側縦枠に対し押し付ける方向に押圧付勢するばね部材が備えられていることに特徴を有するものである。
【０００８】
このように構成された空調用エアーフィルターによれば、フィルター本体を出し入れするときには、挟持板を手で掴んでばね部材の力に抗し手前側に少し引き寄せて挟持部片をフィルター本体のエアー流入口側端部から離し、支持軸回りにほぼ９０度回転させてから挟持板から手を離す。すると、挟持板はばね部材の復元力により挟持部片を上流側縦枠の外面上に当接して停止する姿勢に仮保持される。これにより両手を使ってフィルター本体の出し入れが可能になる。
【０００９】
フィルター本体を本体ボックスに入れた後は再び挟持板を手に持って反転させると、挟持部片により上流側縦枠の内面側で隣り合うフィルター本体のエアー流入口側端部同士が互いに寄せ付けられるように挟持される。この挟持板による挟持作用によって隣接するフィルター本体のエアー流入口側端部同士の合掌部が上流側縦枠の内側に確実に定置固定されることになる。
【００１０】
ひとつの好適な態様として、本発明による空調用エアーフィルターは挟持板の挟持部片がフィルター本体をエアー流出口方向へ押圧する機能をも備えるものとすることができる。そのことにより、フィルター本体のエアー流出口側端部を下流側縦枠に密着するように確実に押し付けることができるため、フィルター本体のエアー流出口側端部と下流側縦枠との間の隙間から流入空気が濾過されないまま下流側へ漏れるのを防止できる。
【００１１】
上流側縦枠の内面側には、該上流側縦枠の内面側で隣接するフィルター本体のエアー流入口側端部同士間に介在するシール材を固定することができる。これによりフィルター本体のエアー流入口側端部と上流側縦枠との間の隙間から流入空気が濾過されないまま下流側へ漏れるのを防止できる。
【００１２】
本体ボックスの天井面および床面には、フィルター本体の上下端部の各上流側面にそれぞれ前後方向にわたって設けた溝の内部にその全長にわたって当接する鍔部を有する位置決め板を固定することができる。そのことにより、フィルター本体を上流側縦枠と下流側縦枠との間の所定位置に納め易くなり、また溝の内部に当接する鍔部によってフィルター本体の上下端部と本体ボックスの天井面および床面との隙間から流入空気が濾過されないまま下流側へ漏れるのを防止できることになる。
【００１３】
また、支持軸は、その先端部が上流側縦枠に設けた雌ねじに着脱可能に螺合されたボルトにより構成し、前記挟持板より外方へ突出する前記ボルト上に前記ばね部材を備えることができる。これによれば、ボルト即ち支持軸を上流側縦枠から取り外すことができ、ばね部材の経時による疲労により取り替えることができ、またボルトの雌ねじに対するねじ込み深さを加減することでばね部材のばね圧を可変調整できる。
【００１４】
また、挟持板には把手部を備えることができる。これにより挟持板を確りと手に持ち易くなる。
【００１５】
【発明の実施の形態】
図１及び図２において、本発明に係る空調用エアーフィルターは、本体ボックス１と、この本体ボックス１内に平面視において左右方向にジグザグ状に配されるように正面側から出し入れ可能に収納する複数枚のフィルター本体２とを備える。本体ボックス１は正面側にエアー流入口３を、背面側にエアー流出口４をそれぞれ開口し、上面側は天板５で、底面側は底板６で、左右側面側は左右側板７，８でそれぞれ塞いでなる。天板５、底板６及び左右側板７，８は鋼板等の金属板材、合成樹脂製板材あるいは木製板材等で形成される。
【００１６】
図３及び図４に示すように、フィルター本体２は、ＡＢＳ樹脂等プラスチック製の上下枠９，１０および前後枠１１，１２により四角形状に枠組みしてなるフィルター枠１３にフィルター濾材１４を嵌め込んでなる。フィルター本体２の上下端部である上下枠９，１０の上流側面にはそれぞれ前後方向全長にわたって溝１６Ａ，１６Ｂを設けている。
【００１７】
フィルター濾材１４の素材としては合成繊維を使用し、合成繊維のうちでも特に洗浄によく耐え、また付着ゴミ粒子を洗い落し易いポリエチレン繊維、ポリプロピレン繊維等のポリオレフィン系繊維が使用される。ポリオレフィン系繊維を不織布あるいは編物、織物などの布帛にし、この布帛を多数の山部が連なる蛇腹状に折り曲げることによりフィルター濾材１４が構成される。
【００１８】
本体ボックス１の天板５の内面（天井面）及び底板６の内面（床面）には、図１及び図１１に示すように、フィルター本体２の上下端部の各上流側面にそれぞれ前後方向全長にわたって設けた溝１６Ａ，１６Ｂの各内部にその全長にわたって当接する鍔部１７を有する、平面視において略二等辺三角形状及び略直角三角形状の位置決め板１５Ａ，１５Ｂが溶接やビス等で固定される。
【００１９】
本体ボックス１内の両端に配されるフィルター本体２に対応して用いられる上下の位置決め板１５Ａ，１５Ｂは、平面視において略直角三角形状でその斜辺部の全長にわたって鍔部１７を有する断面Ｚ形状に形成されている。
【００２０】
本体ボックス１内の両端のフィルター本体２、２間の中間に配されるフィルター本体２には略二等辺三角形状の位置決め板１５Ａ，１５Ｂが使用される。この中間のフィルター本体２に対応して用いられる上下の位置決め板１５Ａ，１５Ｂは、図５、図６に示すように両斜辺部にそれぞれ全長にわたって鍔部１７，１７を有する断面ハット形状に形成されている。この略二等辺三角形状の位置決め板１５Ａ，１５Ｂは、それぞれ、両斜辺部の鍔部１７，１７を、相隣るフィルター本体２，２の各上下端部の上流側面にそれぞれ設けた溝１６Ａ，１６Ｂの各内部にその全長にわたって当接するようにしてある。つまり、上下一対の位置決め板１５Ａ，１５Ｂを２枚の相隣るフィルター本体２，２に共用できるように形成されている。
【００２１】
図１及び図９に示すように、本体ボックス１のエアー流出口４内の天井面と床面間には断面溝形の下流側縦枠１８が位置決め板１５Ａ，１５Ｂのエアー流出口側端位置に対応すべくエアー流出口４の開口幅方向に所定間隔をおいて固定され、この下流側縦枠１８の溝内にフィルター本体２のエアー流出口側端部の後枠１２を受け入れるようにしている。
【００２２】
図１、図２及び図１０に示すように、本体ボックス１のエアー流入口３内の天井面と床面間には、断面山形の上流側縦枠１９が位置決め板１５Ａ，１５Ｂのエアー流入口前端位置に対応すべくエアー流入口３の開口幅方向に所定間隔をおいて並ぶように固定されている。この上流側縦枠１９の内面側で隣接するフィルター本体２，２のエアー流入口側端部の前枠１１，１１同士の合掌部分が受けられる。
【００２３】
各上流側縦枠１９の外面上における縦方向の一箇所または数箇所には、図２に示すように、金属製の挟持板２０が取り付けられる。挟持板２０は、図７、図８及び図１０に示すように、四角形状の本体２０ａの両端に上流側縦枠１９の内面側で隣接するフィルター本体２，２のエアー流入口側端部同士を互いに寄せ付けるよう挟持する挟持部片２１，２１を内向きに折曲形成していて、上流側縦枠１９の外面上にボルト２２による支持軸２３回りに回転可能に取り付けられる。挟持板２０は手で掴み易くするために本体２０ａの挟持部片２１，２１と直交する両端部に把手部２４，２４を外向きに折曲形成している。
【００２４】
そして、支持軸２３には挟持板２０を上流側縦枠１９に対し押し付ける方向に押圧付勢するばね部材２５が備えられる。支持軸２３はボルト２２により構成されるが、この場合は、上流側縦枠１９の所定個所に雌ねじ２６を設け、これにボルト２２の先端部を螺合させる。ボルト２２にはスリーブ２７をはめ込んでばね部材２５の内周がボルト２２のねじ山に引っ掛かることのないようにしている。
【００２５】
次に、このように構成された空調用エアーフィルターにおいて、本体ボックス１に対しフィルター本体２を出し入れする要領について説明する。
【００２６】
本体ボックス１内に複数枚のフィルター本体２がジグザグ状に収納配置された状態では、図９に示すように、各フィルター本体２のエアー流出口側端部は下流側縦枠１８の溝内面で受け止められている。この場合、フィルター本体２のエアー流出口側端部と下流側縦枠１８の内面との間に隙間が生じて当該個所から流入空気がフィルター本体２のフィルター濾材１４で濾過されないまま下流側へ漏れることのないようシール性を高めるために、下流側縦枠１８の内面にスポンジゴム等からなるシール材２８を接着固定してあり、このシール材２８でフィルター本体２のエアー流出口側端部と下流側縦枠１８の内面との間がシールされる。
【００２７】
また、相隣るフィルター本体２，２のエアー流入口側端部同士の合掌部分は、図１０に示すように、上流側縦枠１９の内面側において、該上流側縦枠１９の両端からはみ出した挟持板２０の挟持部片２１，２１によって互いに寄り合うように挟持されている。したがって、フィルター本体２は風圧等でがたつことなく上流側縦枠１９と下流側縦枠１８との間に定置固定された状態に保持される。この場合、フィルター本体２のエアー流入口側端部と上流側縦枠１９の内面との間に隙間が生じて当該個所から流入空気がフィルター本体２のフィルター濾材１４で濾過されないまま下流側へ漏れることのないようシール性を高めるために、上流側縦枠１９の内面の中央付近にスポンジゴム等からなるシール材２９を接着固定してあり、このシール材２９が隣接するフィルター本体２，２のエアー流入口側端部同士間に介在されることによりフィルター本体２のエアー流入口側端部と上流側縦枠１９の内面との間がシールされる。
【００２８】
また、ばね部材２５によりエアー流出口方向へ移動付勢されている挟持板２０の挟持部片２１，２１はフィルター本体２をエアー流出口方向へ押圧するため、フィルター本体２のエアー流出口側端部が下流側縦枠１８の内面にシール材２８を介して密着状に強く押し付けられる。
【００２９】
また、各フィルター本体２の上下端部の各上流側面は、図１１に示すように、上下の各位置決め板１５Ａ，１５Ｂに寄せ付けられて、該フィルター本体２の溝１６Ａ，１６Ｂの内部に位置決め板１５Ａ，１５Ｂの各鍔部１７がそれぞれ当接している。このフィルター本体２の上下の位置決め板１５Ａ，１５Ｂへの寄せ付け状態、および位置決め板１５Ａ，１５Ｂの各鍔部１７の溝１６Ａ，１６Ｂへの当接状態は上流側縦枠１９の内面側で相隣るフィルター本体２，２のエアー流入口側端部同士が挟持板２０によって挟持されていることで確実に安定よく保持される。
上下の位置決め板１５Ａ，１５Ｂの各鍔部１７がフィルター本体２の上下の溝１６Ａ，１６Ｂの内部に密着状に当接していると、フィルター本体２の上下端部の上下枠９，１０と本体ボックス１の天井面および床面との隙間から流入空気がフィルター濾材１４で濾過されないまま下流側へ漏れるのを防止できる。
【００３０】
このように本体ボックス１内に収納されているフィルター本体２をメンテナンス時に上流側縦枠１９，１９間から取り出すには、挟持板２０の把手部２４，２４に手を掛けて該挟持板２０をばね部材２５の力に抗し手前方向に少し引き寄せて挟持部片２１，２１をフィルター本体２のエアー流入口側端部から離し、支持軸２３回りにほぼ９０度回転させてから挟持板２０から手を離す。すると、挟持板２０はばね部材２５の復元力により上流側縦枠１９の外面上に挟持部片２１，２１を当接して停止する姿勢に仮保持される（図２中、二点鎖線Ｅで示す状態図参照）。しかる後、フィルター本体２を本体ボックス１のエアー流入口３内の上流側縦枠１９，１９間から外方へ取り出すことができる。
【００３１】
フィルター本体２を本体ボックス１に収納するには、フィルター本体２を立ち姿勢状態下でエアー流入口３内の上流側縦枠１９，１９間から本体ボックス１内に差し込み、該フィルター本体２のエアー流出口側端部を下流側縦枠１８の内面に当接させるとともに、フィルター本体２全体を上下の位置決め板１５Ａ，１５Ｂの方へ押し寄せて該フィルター本体２の溝１６Ａ，１６Ｂの内部に位置決め板１５Ａ，１５Ｂの各鍔部１７を当接させる。かくして、再び挟持板２０を手に持って反転させると、その挟持部片２１，２１により上流側縦枠１９の内面側で隣接するフィルター本体２，２のエアー流入口側端部同士が互いに寄り合うよう挟持され、これと同時にフィルター本体２がエアー流出口方向へ押されて該フィルター本体２のエアー流出口側端部が下流側縦枠１８の内面にシール材２８を介して密着状に強く押し付けられる。
【００３２】
【発明の効果】
本発明によれば、本体ボックスのエアー流入口内に固定された上流側縦枠の外面上で挟持板を手前に少し引き寄せて回転させるだけのワンタッチ操作で、フィルター本体の出し入れを可能にするため、メンテナンスの簡易迅速化を図り得るという利点がある。
【図面の簡単な説明】
【図１】  空調用エアーフィルターの一部を破断して示す平面図である。
【図２】  空調用エアーフィルターの正面図である。
【図３】  空調用エアーフィルターのフィルター本体の正面図である。
【図４】  空調用エアーフィルターのフィルター本体の側面図である。
【図５】  空調用エアーフィルターの位置決め板の平面図である。
【図６】  図５におけるＡ−Ａ線拡大断面図である。
【図７】  空調用エアーフィルターの挟持板を支持軸を備えた状態で示す正面図である。
【図８】  空調用エアーフィルターの挟持板の側面図である。
【図９】  図１におけるＢ部の詳細な拡大断面図である。
【図１０】  図１におけるＣ部の詳細な拡大断面図である。
【図１１】  図１におけるＤ−Ｄ線拡大断面図である。
【図１２】  従来例の空調用エアーフィルターの外観斜視図である。
【図１３】  図１２の空調用エアーフィルターの分解斜視図である。
【符号の説明】
１  ボックス本体
２  フィルター本体
３  エアー流入口
４  エアー流出口
１５Ａ，１５Ｂ  上下の位置決め板
１６Ａ，１６Ｂ  上下の溝
１７  鍔部
１８  下流側縦枠
１９  上流側縦枠
２０  挟持板
２１，２１  挟持部片
２２  ボルト
２３  支持軸
２４  把手
２５  ばね部材
２６  雌ねじ
２９  シール材
【図１】
0003671174.tif 000002
【図２】
0003671174.tif 000003
【図３】
0003671174.tif 000004
【図４】
0003671174.tif 000005
【図５】
0003671174.tif 000006
【図６】
0003671174.tif 000007
【図７】
0003671174.tif 000008
【図８】
0003671174.tif 000009
【図９】
0003671174.tif 000010
【図１０】
0003671174.tif 000011
【図１１】
0003671174.tif 000012
【図１２】
0003671174.tif 000013
【図１３】
0003671174.tif 000014